(57)【要約】【課題】Ｘ線撮影のために被検体の近傍に検出部を設置する際に、医療用部材の接続状態が解除されてしまうのを抑制することが可能な回診用Ｘ線撮影装置を提供する。【解決手段】この回診用Ｘ線撮影装置１００は、被検体ＰにＸ線を照射するＸ線管装置４と、被検体Ｐを透過したＸ線を検出するＸ線受像器６と、Ｘ線受像器６を取り出し可能に収納する収納部１ｂと、被検体Ｐに医療用部材１１が接続されている接続情報３０ａに基づいて、注意を促すための警告を行うように制御する制御部２１と、を備える。【選択図】図５
2018201634.tif 000002
【特許請求の範囲】
【請求項１】
被検体にＸ線を照射する照射部と、
前記被検体を透過したＸ線を検出する検出部と、
前記検出部を取り出し可能に収納する収納部と、
前記被検体に医療用部材が接続されている接続情報に基づいて、注意を促すための警告を行うように制御する制御部とを備える、回診用Ｘ線撮影装置。
【請求項２】
前記医療用部材は、前記被検体の生体活動をモニタリングするモニタリング線または医療用のチューブである、請求項１に記載の回診用Ｘ線撮影装置。
【請求項３】
前記接続情報を含む前記被検体の撮影オーダー情報を取得することが可能な取得部をさらに備え、
前記制御部は、前記取得部により取得された前記撮影オーダー情報に含まれる前記接続情報に基づいて、前記警告を行うように構成されている、請求項１または２に記載の回診用Ｘ線撮影装置。
【請求項４】
表示部をさらに備え、
前記制御部は、前記接続情報がある場合に、前記表示部に前記接続情報を表示させることにより前記警告を行うように構成されている、請求項１〜３のいずれか１項に記載の回診用Ｘ線撮影装置。
【請求項５】
前記照射部によるＸ線照射野を確認するために点灯するように設けられたランプをさらに備え、
前記制御部は、前記接続情報がある場合に、前記ランプを点灯または点滅させることにより前記警告を行うように構成されている、請求項１〜４のいずれか１項に記載の回診用Ｘ線撮影装置。
【請求項６】
前記制御部は、前記接続情報がある場合に、Ｘ線照射野を調整する際と異なる色で前記ランプを点灯または点滅させることにより前記警告を行うように構成されている、請求項５に記載の回診用Ｘ線撮影装置。
【請求項７】
前記検出部を前記収納部から取り出せないロック状態にするロック部をさらに備え、
前記制御部は、前記接続情報がある場合に、前記警告を行うとともに、前記ロック部を前記ロック状態にするように構成されている、請求項１〜６のいずれか１項に記載の回診用Ｘ線撮影装置。
【請求項８】
前記ロック部の前記ロック状態を解除する操作が可能な操作部をさらに備える、請求項７に記載の回診用Ｘ線撮影装置。
【請求項９】
前記制御部は、前記医療用部材が前記被検体の背中側に接続されている前記接続情報がある場合に、前記警告を行うように構成されている、請求項１〜８のいずれか１項に記載の回診用Ｘ線撮影装置。
【発明の詳細な説明】
【技術分野】
【０００１】
本発明は、回診用Ｘ線撮影装置に関する。
【背景技術】
【０００２】
従来、Ｘ線検出器を取り出し可能に収納することが可能な回診用Ｘ線撮影装置が知られている（たとえば、特許文献１参照）。
【０００３】
上記特許文献１には、Ｘ線管と、Ｘ線管から照射され被検体を通過したＸ線を検出するＸ線検出器と、Ｘ線検出器を取り出し可能に収納することが可能な収納部と、を備えた回診用Ｘ線撮影装置が開示されている。上記特許文献１の回診用Ｘ線撮影装置では、Ｘ線撮影を行わない場合は、Ｘ線検出器を収納部に収納させておき、Ｘ線撮影を行う際に、収納部からＸ線検出器を取り出すように構成されている。
【先行技術文献】
【特許文献】
【０００４】
【特許文献１】特許第６０６５２４８号明細書
【発明の概要】
【発明が解決しようとする課題】
【０００５】
上記特許文献１のような回診用Ｘ線撮影装置では、Ｘ線管（照射部）とＸ線検出器（検出部）とを被検体を挟むような配置で被検体の近傍に設置することによりＸ線撮影が行われる。このようにＸ線撮影が行われる被検体には、被検体をモニタリングするためのモニタリング線や医療用のチューブ等の医療用部材が接続されている場合がある。このような医療用部材は事前に看護師等により被検体に接続されるので、接続した看護師等以外のＸ線撮影を行う者（たとえば、放射線技師）がＸ線撮影を行うためにＸ線管およびＸ線検出器を被検体の近傍に設置する際に、医療用部材の接続状態が解除されるおそれがあるという問題点があると考えられる。
【０００６】
この発明は、上記のような課題を解決するためになされたものであり、この発明の１つの目的は、Ｘ線撮影のために被検体の近傍に検出部を設置する際に、医療用部材の接続状態が解除されてしまうのを抑制することが可能な回診用Ｘ線撮影装置を提供することである。
【課題を解決するための手段】
【０００７】
上記目的を達成するために、この発明の一の局面における回診用Ｘ線撮影装置は、被検体にＸ線を照射する照射部と、被検体を透過したＸ線を検出する検出部と、検出部を取り出し可能に収納する収納部と、被検体に医療用部材が接続されている接続情報に基づいて、注意を促すための警告を行うように制御する制御部とを備える。
【０００８】
この発明の一の局面による回診用Ｘ線撮影装置は、上記のように、被検体に医療用部材が接続されている接続情報に基づいて、注意を促すための警告を行うように制御する制御部を備える。これにより、被検体に医療用部材が接続されている場合に、Ｘ線撮影を行う者に対して注意を促すことができる。その結果、Ｘ線撮影を行う者は、被検体への医療用部材の接続状態を把握した状態で、Ｘ線撮影のために被検体の近傍に検出部を設置することができるので、医療用部材の接続状態が解除されてしまうのを抑制することができる。
【０００９】
上記一の局面による回診用Ｘ線撮影装置において、好ましくは、医療用部材は、被検体の生体活動をモニタリングするモニタリング線または医療用のチューブである。ここで、モニタリング線や医療用のチューブの接続状態が解除されることは好ましくないので、医療用部材の接続状態が解除されてしまうのを抑制することができる本発明を適用することは特に有用である。
【００１０】
上記一の局面による回診用Ｘ線撮影装置において、好ましくは、接続情報を含む被検体の撮影オーダー情報を取得することが可能な取得部をさらに備え、制御部は、取得部により取得された撮影オーダー情報に含まれる接続情報に基づいて、警告を行うように構成されている。このように構成すれば、Ｘ線撮影を行う者は、Ｘ線撮影が行われる被検体の撮影オーダー情報を確認する際に、被検体への医療用部材の接続状態を把握（認識）することができる。その結果、被検体に医療用部材が接続されている場合に、Ｘ線撮影を行う者に対して容易に注意を促すことができる。
【００１１】
上記一の局面による回診用Ｘ線撮影装置において、好ましくは、表示部をさらに備え、制御部は、接続情報がある場合に、表示部に接続情報を表示させることにより警告を行うように構成されている。このように構成すれば、Ｘ線撮影を行う者は、被検体への医療用部材の接続状態を容易に視覚的に把握（認識）することができる。
【００１２】
上記一の局面による回診用Ｘ線撮影装置において、好ましくは、照射部によるＸ線照射野を確認するために点灯するように設けられたランプをさらに備え、制御部は、接続情報がある場合に、ランプを点灯または点滅させることにより警告を行うように構成されている。このように構成すれば、Ｘ線撮影を行う者は、被検体への医療用部材の接続状態を容易に視覚的に把握（認識）することができる。
【００１３】
この場合、好ましくは、制御部は、接続情報がある場合に、Ｘ線照射野を調整する際と異なる色でランプを点灯または点滅させることにより警告を行うように構成されている。このように構成すれば、Ｘ線撮影を行う者は、被検体への医療用部材の接続状態をより容易に視覚的に把握（認識）することができる。
【００１４】
上記一の局面による回診用Ｘ線撮影装置において、好ましくは、検出部を収納部から取り出せないロック状態にするロック部をさらに備え、制御部は、接続情報がある場合に、警告を行うとともに、ロック部を前記ロック状態にするように構成されている。このように構成すれば、接続情報がある場合に、Ｘ線撮影を行う者が検出部を収納部から取り出せないことにより、Ｘ線撮影を行う者が検出部を被検体の近傍に設置する際に、医療用部材の接続状態が解除されてしまうのを確実に抑制することができる。また、検出部を収納部から取り出せないロック状態にすることを、被検体に医療用部材が接続されている接続情報に基づいた警告とともに行うことによって、Ｘ線撮影を行う者は、被検体へ医療用部材が接続されていることをより確実に把握することができる。
【００１５】
上記ロック部をさらに備える構成において、好ましくは、ロック部のロック状態を解除する操作が可能な操作部をさらに備える。このように構成すれば、被検体に医療用部材が接続されている場合に、Ｘ線撮影を行う者は、被検体への医療用部材の接続を確認した上でロック部のロック状態を解除することができる。その結果、Ｘ線撮影を行う者は、被検体への医療用部材の接続状態を確実に把握した上で、被検体の近傍に検出部を設置することができる。
【００１６】
上記一の局面による回診用Ｘ線撮影装置において、好ましくは、制御部は、医療用部材が被検体の背中側に接続されている接続情報がある場合に、警告を行うように構成されている。ここで、被検体の背中側に接続された医療用部材は特に把握されにくいので、医療用部材の接続状態が解除されてしまうのを抑制することができる本発明を適用することは特に有用である。
【発明の効果】
【００１７】
本発明によれば、上記のように、Ｘ線撮影のために被検体の近傍に検出部を設置する際に、医療用部材の接続状態が解除されてしまうのを抑制することが可能な回診用Ｘ線撮影装置を提供することができる。
【図面の簡単な説明】
【００１８】
【図１】本発明の第１実施形態による回診用Ｘ線撮影装置の全体構成を示す側面図である。
【図２】本発明の第１実施形態による回診用Ｘ線撮影装置における撮影時の様子を示す側面図である。
【図３】本発明の第１実施形態および第２実施形態による回診用Ｘ線撮影装置の制御系のブロック図である。
【図４】本発明の第１実施形態による回診用Ｘ線撮影装置において被検体に医療用部材が接続されている様子を説明するための図である。
【図５】本発明の第１実施形態による回診用Ｘ線撮影装置において被検体に医療用部材が接続されている場合の警告表示を説明するための図である。
【図６】本発明の第２実施形態による回診用Ｘ線撮影装置における警告を説明するための図である。
【図７】本発明の第３実施形態による回診用Ｘ線撮影装置の全体構成を示す側面図である。
【図８】本発明の第３実施形態による回診用Ｘ線撮影装置の制御系のブロック図である。
【図９】本発明の第３実施形態による回診用Ｘ線撮影装置において被検体に医療用部材が接続されている場合の警告表示を説明するための図である。
【図１０】本発明の第３実施形態による回診用Ｘ線撮影装置において収納部のロック状態が解除された様子を示す図である。
【発明を実施するための形態】
【００１９】
以下、本発明を具体化した実施形態を図面に基づいて説明する。
【００２０】
[第１実施形態]
図１〜図３を参照して、本発明の第１実施形態による回診用Ｘ線撮影装置１００の構成について説明する。
【００２１】
（回診用Ｘ線撮影装置の構成）
図１に示すように、第１実施形態の回診用Ｘ線撮影装置１００は、装置全体が移動可能であり、回診時に、病院の各病室にいる患者（被検体Ｐ、図２参照）の元へ移動してＸ線撮影することが可能に構成されている。回診用Ｘ線撮影装置１００は、本体部１と、支柱２と、アーム部３と、Ｘ線管装置４と、コリメータ５と、Ｘ線受像器６と、表示・操作部７と、を備えている。なお、Ｘ線管装置４は、特許請求の範囲の「照射部」の一例である。また、Ｘ線受像器６は、特許請求の範囲の「検出部」の一例である。また、表示・操作部７は、特許請求の範囲の「表示部」および「操作部」の一例である。
【００２２】
本体部１は、回診用Ｘ線撮影装置１００の台車として構成されており、内部には、図示しない、電源装置、バッテリー、等が設けられている。また、本体部１の下部には、複数の車輪１ａが設けられており、回診用Ｘ線撮影装置１００を移動させることが可能である。また、本体部１の後部には、Ｘ線受像器６を取り出し可能に収納するための収納部１ｂが設けられている。
【００２３】
支柱２は、本体部１の前部に鉛直方向に延びるように取り付けられている。支柱２では、内部が中空になっており、アーム部３（ひいてはＸ線管装置４およびコリメータ５）を昇降可能にする部品が内部に収納されている。また、支柱２は、水平方向に回転可能に構成されており、図１のＸ線管装置４が支柱２の後方にある状態から、図２に示すように、Ｘ線管装置４を支柱２の前方に配置させることが可能である。
【００２４】
アーム部３は、支柱２から水平方向に延びるように取り付けられている。また、アーム部３は、支柱２に対して昇降可能であるとともに、Ｘ線管装置４の水平位置を変更できるように伸縮可能に構成されている。
【００２５】
Ｘ線管装置４は、Ｘ線源を有しており、図示しないＸ線管駆動部によって電圧が印加されることにより、Ｘ線を照射することが可能である。
【００２６】
コリメータ５は、Ｘ線管装置４のＸ線照射方向におけるＸ線管装置４の近傍に設けられており、Ｘ線管装置４から照射されるＸ線の照射野を調整することが可能である。コリメータ５には、可視光の光源を有し、Ｘ線の照射野の調整時に点灯するように構成されたコリメータランプ５ａが設けられている。このコリメータランプ５ａから照射される可視光を用いることにより、Ｘ線を用いずにＸ線の照射野を確認することが可能である。
【００２７】
Ｘ線受像器６は、ＦＰＤ（フラットパネルディテクタ）を含み、Ｘ線を検出することができるように構成されている。また、Ｘ線受像器６は、ワイヤレスタイプのＸ線検出器として構成されており、Ｘ線撮影時以外には収納部１ｂに収納されるように構成されている。Ｘ線受像器６は、図２に示すように、Ｘ線撮影時には、Ｘ線撮影を行う者（放射線技師）により、天板１０に載置された被検体Ｐを挟むようにＸ線管装置４とは反対側（被検体Ｐの背中Ｐａ側、点線の位置）に配置される。
【００２８】
表示・操作部７は、たとえば、タッチパネル式の液晶ディスプレイとして構成されている。そして、表示・操作部７は、Ｘ線撮影された画像および撮影オーダー情報３０（図５参照）等が表示される表示部、および、各種の操作が入力される入力部として機能するように構成されている。
【００２９】
上記の構成により、回診用Ｘ線撮影装置１００は、天板１０に被検体Ｐを載置した状態で、Ｘ線管装置４によりＸ線を照射して、被検体Ｐを透過したＸ線をＸ線受像器６で検出することによって、被検体ＰのＸ線撮影を行うことが可能である。
【００３０】
また、図３に示すように、回診用Ｘ線撮影装置１００は、通信部２０と、制御部２１と、記憶部２２と、をさらに備えている。なお、通信部２０は、特許請求の範囲の「取得部」の一例である。
【００３１】
通信部２０は、外部ネットワークと通信可能に構成されており、被検体Ｐの撮影オーダー情報３０（図５参照）を外部から取得したり、Ｘ線撮影した画像を外部に送信することが可能に構成されている。なお、撮影オーダー情報３０は、たとえば、図示しない外部のサーバーなどに看護師により事前に入力され、回診用Ｘ線撮影装置１００に外部から送信される。そして、回診用Ｘ線撮影装置１００を携えて病院内を巡回または待機している放射線技師により、撮影オーダー情報３０に基づいてＸ線撮影が行われる。
【００３２】
制御部２１は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）およびＲＡＭ（Ｒａｎｄｏｍ Ａｃｃｅｓｓ Ｍｅｍｏｒｙ）などを含んで構成されたコンピュータである。制御部２１は、通信部２０により取得された撮影オーダー情報３０およびＸ線撮影した画像を表示・操作部７に表示させることが可能に構成されている。また、制御部２１は、表示・操作部７により入力された操作に基づいて、回診用Ｘ線撮影装置１００の各種構成の制御を行うように構成されている。
【００３３】
記憶部２２は、たとえば、不揮発メモリを含む。そして、記憶部２２には、制御部２１の処理に用いられるプログラムが記憶されているとともに、通信部２０により取得した撮影オーダー情報３０およびＸ線撮影した画像等を記憶できるように構成されている。
【００３４】
上記の構成により、回診用Ｘ線撮影装置１００は、外部から取得した撮影オーダー情報３０に基づいて、被検体ＰのＸ線撮影を行うことが可能である。
【００３５】
（撮影オーダー情報に基づくＸ線撮影）
次に、図４または図５を参照しながら、撮影オーダー情報３０に基づくＸ線撮影について説明する。
【００３６】
回診用Ｘ線撮影装置１００において、通信部２０が撮影オーダー情報３０を取得すると、制御部２１は、図５に示すように、撮影オーダー情報３０を表示・操作部７に表示させる。そして、放射線技師は、この撮影オーダー情報３０に基づいて、被検体ＰのＸ線撮影を行う。
【００３７】
被検体ＰのＸ線撮影を行う場合は、Ｘ線管装置４を撮影に適した位置（図４では、被検体Ｐの上方）に配置させるとともに、Ｘ線受像器６を収納部１ｂから取り出して、被検体Ｐを挟んでＸ線管装置４の反対側（図４では、被検体Ｐの背中Ｐａ側）に配置させる必要がある。
【００３８】
図４に示すように、Ｘ線撮影を行う対象となる被検体Ｐには、看護師等により事前に医療用部材１１が接続されている場合がある。ここで、医療用部材１１は、たとえば、被検体Ｐの生体活動をモニタリングするモニタリング線１１ａ、および、医療用チューブ１１ｂ等である。このような場合、Ｘ線撮影を行う者（放射線技師）は、Ｘ線受像器６を被検体Ｐの背中Ｐａ側に配置させる際に、医療用部材１１の接続状態を誤って解除してしまわないように注意を要する。ところが、図４のように、医療用部材１１が被検体Ｐの背中Ｐａ側に接続され医療用部材１１が被検体Ｐ等に隠れて見えにくい位置にあることにより、放射線技師は、医療用部材１１の存在を把握しにくい場合がある。
【００３９】
そこで、本実施形態の回診用Ｘ線撮影装置１００では、制御部２１は、被検体Ｐの背中Ｐａ側に医療用部材１１が接続されている接続情報３０ａに基づいて、放射線技師に注意を促すための警告を行うように制御するように構成されている。
【００４０】
具体的には、制御部２１は、図５に示すように、撮影オーダー情報３０に被検体Ｐの背中Ｐａ側への医療用部材１１の接続情報３０ａがある場合に、表示・操作部７に警告ウィンドウ３１を表示させるように構成されている。警告ウィンドウ３１には、被検体Ｐの背中Ｐａ側に医療用部材１１が接続されているので注意を要する旨のメッセージが表示されている。また、警告ウィンドウ３１には、メッセージの確認ボタン３１ａが表示されており、放射線技師が確認ボタン３１ａを押下すると、警告ウィンドウ３１が消えるように構成されている。これにより、回診用Ｘ線撮影装置１００では、被検体Ｐに医療用部材１１が接続されている場合に、放射線技師に対して注意を促すことができる。なお、図５では、モニタリング線１１ａおよび医療用チューブ１１ｂを、それぞれ、ＭＭＭＭ線およびＮＮＮＮチューブとして示している。
【００４１】
上記の構成により、放射線技師は、被検体Ｐへの医療用部材１１の接続状態を把握した上で、Ｘ線受像器６を被検体Ｐの近傍に設置することができる。したがって、放射線技師が、医療用部材１１の接続状態を誤って解除してしまうのを抑制することができる。
【００４２】
（第１実施形態の効果）
第１実施形態では、以下のような効果を得ることができる。
【００４３】
第１実施形態では、上記のように、回診用Ｘ線撮影装置１００は、被検体Ｐに医療用部材１１が接続されている接続情報３０ａに基づいて、注意を促すための警告を行うように制御する制御部２１を備える。これにより、被検体Ｐに医療用部材１１が接続されている場合に、Ｘ線撮影を行う者に対して注意を促すことができる。その結果、Ｘ線撮影を行う者は、被検体Ｐへの医療用部材１１の接続状態を把握した状態で、Ｘ線撮影のために被検体Ｐの近傍にＸ線受像器６を設置することができるので、医療用部材１１の接続状態が解除されてしまうのを抑制することができる。
【００４４】
また、第１実施形態では、上記のように、医療用部材１１は、被検体Ｐの生体活動をモニタリングするモニタリング線１１ａまたは医療用チューブ１１ｂである。これにより、接続状態が解除されることが好ましくないモニタリング線１１ａまたは医療用チューブ１１ｂの接続状態が解除されてしまうのを抑制することができる。
【００４５】
また、第１実施形態では、上記のように、回診用Ｘ線撮影装置１００は、接続情報３０ａを含む被検体Ｐの撮影オーダー情報３０を取得することが可能な通信部２０をさらに備え、制御部２１は、通信部２０により取得された撮影オーダー情報３０に含まれる接続情報３０ａに基づいて、警告を行うように構成されている。これにより、Ｘ線撮影を行う者は、Ｘ線撮影が行われる被検体Ｐの撮影オーダー情報３０を確認する際に、被検体Ｐへの医療用部材１１の接続状態を把握（認識）することができる。その結果、被検体Ｐに医療用部材１１が接続されている場合に、Ｘ線撮影を行う者に対して容易に注意を促すことができる。
【００４６】
また、第１実施形態では、上記のように、回診用Ｘ線撮影装置１００は、表示・操作部７をさらに備え、制御部２１は、接続情報３０ａがある場合に、表示・操作部７に接続情報３０ａを表示させることにより警告を行うように構成されている。これにより、Ｘ線撮影を行う者は、被検体Ｐへの医療用部材１１の接続状態を容易に視覚的に把握（認識）することができる。
【００４７】
また、第１実施形態では、上記のように、制御部２１は、医療用部材１１が被検体Ｐの背中Ｐａ側に接続されている接続情報３０ａがある場合に、警告を行うように構成されている。これにより、被検体Ｐの背中Ｐａ側に接続された医療用部材１１の接続状態が解除されてしまうのを抑制することができる。
【００４８】
［第２実施形態］
次に、図３、図４および図６を参照して、第２実施形態について説明する。この第２実施形態では、被検体Ｐに医療用部材１１が接続されている接続情報３０ａに基づいて、第１実施形態の回診用Ｘ線撮影装置１００とは異なる方法により、注意を促すための警告を行うように構成した例について説明する。なお、図中において、上記第１実施形態と同様の構成には、同一の符号を付している。
【００４９】
本発明の第２実施形態による回診用Ｘ線撮影装置２００は、図６に示すように、コリメータランプ２０５ａが設けられたコリメータ２０５を備えている。コリメータランプ２０５ａは、第１実施形態による回診用Ｘ線撮影装置１００のコリメータランプ５ａと同様に、Ｘ線管装置４によるＸ線照射野を確認するために点灯するよう構成されている。なお、コリメータランプ２０５ａは、特許請求の範囲の「ランプ」の一例である。
【００５０】
回診用Ｘ線撮影装置２００では、制御部２２１（図３参照）は、撮影オーダー情報３０に被検体Ｐの背中Ｐａ側（図４参照）への医療用部材１１の接続情報３０ａがある場合に、図６に示すように、コリメータランプ２０５ａをＸ線照射野を調整する際と異なる色で点滅させるように構成されている。これにより、第１実施形態の回診用Ｘ線撮影装置１００と同様に、被検体Ｐに医療用部材１１が接続されている場合に、放射線技師に対して注意を促すことができる。なお、コリメータランプ２０５ａの点滅は、放射線技師による所定の操作により停止するように構成されている。
【００５１】
なお、第２実施形態による回診用Ｘ線撮影装置２００の構成は、上記第１実施形態と同様である。
【００５２】
（第２実施形態の効果）
第２実施形態では、上記のように、回診用Ｘ線撮影装置２００は、被検体Ｐに医療用部材１１が接続されている接続情報３０ａに基づいて、注意を促すための警告を行うように制御する制御部２２１を備える。これにより、第１実施形態の回診用Ｘ線撮影装置１００と同様に、Ｘ線撮影を行う者は、被検体Ｐへの医療用部材１１の接続状態を把握した状態で、Ｘ線撮影のために被検体Ｐの近傍にＸ線受像器６を設置することができるので、医療用部材１１の接続状態が解除されてしまうのを抑制することができる。
【００５３】
また、第２実施形態では、上記のように、回診用Ｘ線撮影装置２００は、Ｘ線管装置４によるＸ線照射野を確認するために点灯するように設けられたコリメータランプ２０５ａをさらに備え、制御部２１は、接続情報３０ａがある場合に、コリメータランプ２０５ａを点滅させることにより警告を行うように構成されている。これにより、Ｘ線撮影を行う者は、被検体Ｐへの医療用部材１１の接続状態を容易に視覚的に把握（認識）することができる。
【００５４】
また、第２実施形態では、上記のように、回診用Ｘ線撮影装置２００は、制御部２１は、接続情報がある場合に、Ｘ線照射野を調整する際と異なる色でコリメータランプ２０５ａを点滅させることにより警告を行うように構成されている。これにより、Ｘ線撮影を行う者は、被検体Ｐへの医療用部材１１の接続状態をより容易に視覚的に把握（認識）することができる。
【００５５】
なお、第２実施形態のその他の効果については、上記第１実施形態と同様である。
【００５６】
［第３実施形態］
次に、図７〜図１０を参照して、第３実施形態について説明する。この第３実施形態では、第１実施形態の構成に加えて、被検体Ｐへの医療用部材１１の接続情報３０ａがある場合に、Ｘ線受像器６を収納部１ｂから取り出せないロック状態にするように構成した例について説明する。なお、図中において、上記第１実施形態と同様の構成には、同一の符号を付している。
【００５７】
本発明の第３実施形態による回診用Ｘ線撮影装置３００は、図７に示すように、本体部１の後面に設けられＬ字状に形成されたロック部８を備えている。ロック部８は、収納部１ｂの上方に設けられ、収納部１ｂにＸ線受像器６が収納されている場合にＸ線受像器６に引っ掛かる位置（通常位置）と、Ｘ線受像器６に引っ掛からない位置（開放位置、図１０参照）との間で回動することが可能に構成されている。
【００５８】
回診用Ｘ線撮影装置３００は、図８に示すように、ロック制御部２３を含む、制御部３２１を備えている。ロック制御部２３は、ロック部８を所定位置でロックおよびロック解除するように図示しない回動駆動部を制御することが可能に構成されている。そして、ロック制御部２３は、撮影オーダー情報３０に被検体Ｐの背中Ｐａ側への医療用部材１１の接続情報３０ａがある場合に、ロック部８をロック状態にするように構成されている。これにより、放射線技師が収納部１ｂからＸ線受像器６を取り出すことがロック部８により規制される。
【００５９】
回診用Ｘ線撮影装置３００では、制御部３２１は、図９に示すように、撮影オーダー情報３０に被検体Ｐの背中Ｐａ側への医療用部材１１の接続情報３０ａがある場合に、第１実施形態の回診用Ｘ線撮影装置１００と同様に、表示・操作部３０７に警告ウィンドウ３１を表示させるように構成されている。また、回診用Ｘ線撮影装置３００では、制御部３２１は、警告ウィンドウ３１とともに、表示・操作部３０７にロック情報ウィンドウ３２を表示させるように構成されている。ロック情報ウィンドウ３２には、ロック部８がロック状態である旨のメッセージが表示されている。これにより、Ｘ線撮影を行う者は、被検体Ｐへ医療用部材１１が接続されていることをより確実に把握することが可能である。
【００６０】
ロック情報ウィンドウ３２には、メッセージの確認ボタン３２ａが表示されている。放射線技師が確認ボタン３２ａを押下すると、ロック情報ウィンドウ３２が消えるとともに、ロック制御部２３は、ロック部８のロック状態を解除するように構成されている。これにより、被検体Ｐに医療用部材１１が接続されている場合に、放射線技師は、被検体Ｐへの医療用部材１１の接続を確認した上でロック部８のロック状態を解除することができる。
【００６１】
なお、第３実施形態によるその他の構成は、上記第１実施形態と同様である。
【００６２】
（第３実施形態の効果）
第３実施形態では、上記のように、回診用Ｘ線撮影装置３００は、被検体Ｐに医療用部材１１が接続されている接続情報３０ａに基づいて、注意を促すための警告を行うように制御する制御部３２１を備える。これにより、第１実施形態の回診用Ｘ線撮影装置１００と同様に、Ｘ線撮影を行う者は、被検体Ｐへの医療用部材１１の接続状態を把握した状態で、Ｘ線撮影のために被検体Ｐの近傍にＸ線受像器６を設置することができるので、医療用部材１１の接続状態が解除されてしまうのを抑制することができる。
【００６３】
また、回診用Ｘ線撮影装置３００は、上記のように、Ｘ線受像器６を収納部１ｂから取り出せないロック状態にするロック部８をさらに備え、制御部３２１は、接続情報３０ａがある場合に、警告を行うとともに、ロック部８を前記ロック状態にするように構成されている。これにより、接続情報３０ａがある場合に、Ｘ線撮影を行う者がＸ線受像器６を収納部１ｂから取り出せないことにより、Ｘ線撮影を行う者がＸ線受像器６を被検体Ｐの近傍に設置する際に、医療用部材１１の接続状態が解除されてしまうのを確実に抑制することができる。また、Ｘ線受像器６を収納部１ｂから取り出せないロック状態にすることは、被検体Ｐに医療用部材１１が接続されている接続情報３０ａに基づいた警告とともに行われるので、Ｘ線撮影を行う者は、被検体Ｐへ医療用部材１１が接続されていることを確実に把握することができる。
【００６４】
また、第３実施形態では、上記のように、回診用Ｘ線撮影装置３００は、ロック部８のロック状態を解除する操作が可能な表示・操作部３０７をさらに備える。これにより、被検体Ｐに医療用部材１１が接続されている場合に、Ｘ線撮影を行う者は、被検体Ｐへの医療用部材１１の接続を確認した上でロック部８のロック状態を解除することができる。その結果、Ｘ線撮影を行う者は、被検体Ｐへの医療用部材１１の接続状態を確実に把握した上で、被検体Ｐの近傍にＸ線受像器６を設置することができる。
【００６５】
なお、第３実施形態のその他の効果については、上記第１実施形態と同様である。
【００６６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６７】
たとえば、上記第１〜第３実施形態では、通信部２０により取得された撮影オーダー情報３０に含まれる接続情報３０ａに基づいて、それぞれ、表示・操作部７に警告ウィンドウ３１を表示させること、または、コリメータランプ２０５ａを点滅させることにより警告を行う例を示したが、本発明はこれに限られない。本発明では、通信部２０により取得された撮影オーダー情報３０に含まれる接続情報３０ａに基づいて、音声により警告を行ってもよい。
【００６８】
また、上記第１および第２実施形態では、通信部２０により取得された撮影オーダー情報３０に含まれる接続情報３０ａに基づいて、それぞれ、表示・操作部７に警告ウィンドウ３１を表示させること、および、コリメータランプ２０５ａを点滅させることにより警告を行う例を示したが、本発明はこれに限られない。本発明では、通信部２０により取得された撮影オーダー情報３０に含まれる接続情報３０ａに基づいて、表示・操作部７に警告ウィンドウ３１を表示させるとともに、コリメータランプ２０５ａを点滅させることにより警告を行ってもよい。
【００６９】
また、上記第３実施形態では、通信部２０により取得された撮影オーダー情報３０に含まれる接続情報３０ａに基づいて、表示・操作部７に警告ウィンドウ３１を表示させることにより警告を行うとともに、ロック部８を、Ｘ線受像器６を収納部１ｂから取り出せないロック状態にする例を示したが、本発明はこれに限られない。本発明では、通信部２０により取得された撮影オーダー情報３０に含まれる接続情報３０ａに基づいて、コリメータランプ２０５ａを点滅させることにより警告を行うとともに、ロック部８を、Ｘ線受像器６を収納部１ｂから取り出せないロック状態にしてもよい。
【００７０】
また、上記第２実施形態では、通信部２０により取得された撮影オーダー情報３０に含まれる接続情報３０ａに基づいて、コリメータランプ２０５ａを、Ｘ線照射野を調整する際と異なる色で点滅させることにより警告を行う例を示したが、本発明はこれに限られない。本発明では、コリメータランプ２０５ａを、Ｘ線照射野を調整する際と同一の色で点滅させることにより警告を行うように構成してもよい。
【００７１】
また、上記第２実施形態では、通信部２０により取得された撮影オーダー情報３０に含まれる接続情報３０ａに基づいて、コリメータランプ２０５ａを点滅させることにより警告を行う例を示したが、本発明はこれに限られない。本発明では、コリメータランプ２０５ａを点灯させることにより警告を行うように構成させてもよい。この場合、Ｘ線照射野を調整する際と異なる色でコリメータランプ２０５ａを点灯させてもよいし、Ｘ線照射野を調整する際と同一の色でコリメータランプ２０５ａを点灯させてもよい。
【００７２】
また、上記第２実施形態では、通信部２０により取得された撮影オーダー情報３０に含まれる接続情報３０ａに基づいて、コリメータランプ２０５ａを点滅させることにより警告を行う例を示したが、本発明はこれに限られない。本発明では、回診用Ｘ線撮影装置が、コリメータランプ２０５ａ以外のランプを備えている場合、当該ランプを点灯または点滅させることにより警告を行ってもよい。
【００７３】
また、上記第３実施形態では、通信部２０により取得された撮影オーダー情報３０に含まれる接続情報３０ａに基づいて、Ｌ字状のロック部８をＸ線受像器６に引っ掛かる位置でロック状態にすることにより、Ｘ線受像器６を収納部１ｂから取り出せない状態にする例を示したが、本発明はこれに限られない。本発明では、Ｘ線受像器６を収納部１ｂから取り出せないロック状態にすることが可能であれば他のロック機構を用いてもよい。
【００７４】
また、上記第１〜第３実施形態では、特許請求の範囲の「表示部」および「操作部」の機能を併せ持つ、タッチパネル式の液晶ディスプレイとして構成された表示・操作部７を回診用Ｘ線撮影装置１００、２００、３００が備えた例を示したが、本発明はこれに限られない。本発明では、表示部と操作部とを別個に設けるように構成してもよい。この場合、たとえば、第３実施形態において、警告ウィンドウ３１およびロック情報ウィンドウ３２における確認ボタン３１ａおよび３２ａは表示されなくなり、表示部とは別個に設けられた操作部が押下されることにより、警告ウィンドウ３１およびロック情報ウィンドウ３２が消えるように構成される。
【００７５】
また、上記第１および第３実施形態では、通信部２０により取得された撮影オーダー情報３０に含まれる接続情報３０ａに基づいて、表示・操作部７に警告ウィンドウ３１を表示させることにより警告を行う例を示したが、本発明はこれに限られない。本発明では、通信部２０により取得された撮影オーダー情報３０に含まれる接続情報３０ａに基づいて、表示・操作部７において、警告ウィンドウ３１を表示させずに、接続情報３０ａのみを表示させるようにしてもよい。
【００７６】
また、上記第１〜第３実施形態では、医療用部材１１が被検体Ｐの背中Ｐａ側に接続されている接続情報３０ａがある場合に警告を行う例を示したが、本発明はこれに限られない。本発明では、医療用部材１１が被検体Ｐの背中Ｐａ側以外の位置に接続されている接続情報３０ａがある場合に警告を行ってもよい。
【００７７】
また、上記第１〜第３実施形態では、特許請求の範囲の「取得部」を、回診用Ｘ線撮影装置１００、２００、３００の外部から撮影オーダー情報３０を取得することが可能な通信部２０とした例を示したが、本発明はこれに限られない。本発明では、取得部を、回診用Ｘ線撮影装置１００、２００、３００に放射線技師または看護師等により直接入力された撮影オーダー情報３０を取得するように構成してもよい。
【符号の説明】
【００７８】
１ｂ  収納部
４  Ｘ線管装置（照射部）
６  Ｘ線受像器（検出部）
７、３０７  表示・操作部（表示部、操作部）
８  ロック部
１１  医療用部材
１１ａ  モニタリング線
１１ｂ  医療用のチューブ
２０  通信部（取得部）
２１、２２１、３２１  制御部
３０  撮影オーダー情報
３０ａ  接続情報
１００、２００、３００  回診用Ｘ線撮影装置
２０５ａ  コリメータランプ（ランプ）
Ｐ  被検体
Ｐａ  （被検体の）背中
【図１】
2018201634.tif 000003
【図２】
2018201634.tif 000004
【図３】
2018201634.tif 000005
【図４】
2018201634.tif 000006
【図５】
2018201634.tif 000007
【図６】
2018201634.tif 000008
【図７】
2018201634.tif 000009
【図８】
2018201634.tif 000010
【図９】
2018201634.tif 000011
【図１０】
2018201634.tif 000012